(57)【要約】【課題】  遊技機の前面扉の閉鎖作動に伴うキャビネットボックス前後方向へのスラスト荷重に対しての強度が確保された金属製キャビネットボックスの提供。【解決手段】  前面開口を有して略矩形箱状に板金部材で形成されるキャビネットボックス１と、このキャビネットボックス１の前面開口を覆って開閉自在に取り付けられる前面扉２と、前面扉２の閉鎖状態を保持するためにキャビネットボックス１及び前面扉２の互いの一側辺に配設される施錠装置６とからなる遊技機において、キャビネットボックス１の内壁の前面開口縁部に枠杆１０ｃが周設されており、前面扉２の閉鎖作動時に施錠装置６と当接する突き当て辺Ｅを枠杆１０ｃに一体形成する構成とする。【選択図】図３
2005198948.tif 000002
【特許請求の範囲】
【請求項１】
金属材料の板金部材で形成されて前面開口を有して略矩形箱状に形成されたキャビネットボックスと、前記キャビネットボックスの前記前面開口を覆って開閉自在に取り付けられる前面扉と、前記キャビネットボックスおよび前記前面扉の互いの一側縁に配設されて前記前面扉の閉鎖状態を保持するための施錠装置と、前記キャビネットボックス内および前記前面扉に配設される遊技装置とから構成される遊技機において、
前記キャビネットボックスの内壁における前記前面開口縁部に枠杆が周設されており、
前記前面扉の閉鎖状態において、前記施錠装置と当接する当接辺が前記枠杆に一体形成されて構成されることを特徴とするキャビネットボックス。
【発明の詳細な説明】
【技術分野】
【０００１】
本発明は遊技機のキャビネットボックスに関するもので、さらに詳しくは、キャビネットボックスの前面開口近傍に配設される施錠装置およびキャビネットボックスの前面開口部の構成に関するものである。
【背景技術】
【０００２】
キャビネットボックスを有して構成される遊技機として、スロットマシン、ポーカーゲームなどのメダル遊技機がある。例えば、スロットマシンにおいては、前面開口部を有して略矩形箱状に形成されるキャビネットボックスと、このキャビネットボックス前面開口を覆ってヒンジ機構を介して開閉自在に取り付けられる前面扉とからなる筐体内に、電源ボックス、リール装置、制御基板、メダル払出装置等の遊技装置が配設されて構成される。キャビネットボックスと前面扉の互いの一側縁には施錠装置が設けられており、この施錠装置によって前面扉の閉鎖状態が保持されて遊技に供される。
【０００３】
スロットマシンの施錠装置は、前面扉の表側の一側縁に設けられた解錠口と、前面扉の裏側に配設されて解錠口の回転によって上下揺動して略矢形状に形成された施錠フックと、施錠フックを上方向に付勢保持するためのスプリングと、キャビネットボックスの一側縁に配設されて前面扉の閉鎖状態および施錠フックの上方保持状態で施錠プレートと係合する受け金具とから構成される。前面扉の閉鎖は、前面扉の開放状態から閉方向に押圧することにより、略矢形状の施錠フックの係合斜辺部と受け金具とを当接させ、係合斜辺部を受け金具に沿わせる形で施錠フックを下方向に揺動させながら押圧する。これに伴いスプリングが縮小動するが、施錠フックと受け金具との当接が係合斜辺部を超えると、スプリングの付勢力により施錠プレートが上方に付勢保持されて前面扉のロック状態が保持される。また、前面扉は遊技装置が多数配設されて相当な重量物となる。このため、開放状態で反ヒンジ側に垂れ下がる傾向にあることから、前面扉にガイドローラが、キャビネットボックスにローラ受けが設けられており、閉鎖状態とした際にガイドローラがローラ受けに支持され、前面扉が水平に閉鎖保持されるように構成される。
【０００４】
以上のように、前面扉の閉鎖は、重量物である前面扉を押圧するとともにバネの付勢力に反し且つ前面扉を水平支持させながら行われるため、閉鎖作動時に相当の力を要する。このため、施錠フックと受け金具とが係合して施錠装置がロックする際に、受け金具周りがキャビネットボックス前後方向の大きなスラスト荷重を受けることとなる。
【発明の開示】
【発明が解決しようとする課題】
【０００５】
このスラスト荷重の対策として、従来木材で構成されていたキャビネットボックスの開口縁に金属プレートを周設して閉鎖状態となる際に、この金属プレートと施錠フックとを突き当てることによって、受け金具が受けるスラスト荷重をキャビネットボックス全体で受け止める構成としていた。
【０００６】
従来のように木材パネルで構成されるキャビネットボックスは、上記のスラスト荷重対策で取り付けられる金属プレートも含めて、組立製造工程で木材に取付あるいは埋入される金属部材の分離回収が困難であり、廃棄処理上大きな問題となっている。そこで、リサイクルルートが確立されている鋼板材で構成された金属製キャビネットボックスの実用が検討されている。しかしながら、キャビネットボックスの主要構成部材を鋼板材とすると、鋼板材が木材よりも比重が大きいことから部材の厚さを薄くせざるを得なく、キャビネットボックス全体の強度上の懸念が生じ、同様にして前面扉閉鎖時のスラスト荷重に対する強度の懸念も解消されない。
【０００７】
本発明は以上の問題に鑑み、遊技機の前面扉の閉鎖作動に伴う前後方向へのスラスト荷重に対しての強度が確保された金属製キャビネットボックスの提供を目的とする。
【課題を解決するための手段】
【０００８】
上記目的を達成するために本発明に係るキャビネットボックスは、板金部材で形成されて前面開口を有して略矩形箱状に形成されたキャビネットボックスと、キャビネットボックスの前面開口を覆って取り付けられる前面扉と、キャビネットボックスと前面扉の互いの一側縁に配設されて前面扉の閉鎖状態を保持するための施錠装置と、キャビネットボックス内および前面扉に配設される遊技装置とから構成される遊技機において、キャビネットボックスの内壁の前面開口縁部に枠杆が周設されており、前面扉の閉鎖状態において、施錠装置と当接する当接辺を枠杆に一体形成する構成としている。
【発明の効果】
【０００９】
本発明に係るキャビネットボックスは、金属製キャビネットボックスの開口縁部に枠杆を設けるとともに、前面扉の閉鎖状態において施錠装置と当接する当接辺がこの枠杆に一体形成される構成としている。これにより、前面扉の閉鎖作動に伴って生じるスラスト荷重を当接辺を一体形成している枠杆が受け止め、受け金具およびローラ受けに過大なスラスト荷重が作用することを防止することができるため、キャビネットボックスの強度を確保することができる。
【発明を実施するための最良の形態】
【００１０】
以下、図面を参照して本発明に係るキャビネットボックスの好ましい実施形態について説明する。まず、本発明に係るキャビネットボックスを有した遊技機の一例として挙げるスロットマシンの全体的な構成について、図７，図８を参照して説明する。このスロットマシンＳＭは、前面が開口した略矩形箱状のキャビネットボックス１と、ヒンジ機構５を介してキャビネットボックス１に開閉自在に取り付けられる前面扉２とから構成されており、スロットマシンＳＭの遊技装置がキャビネットボックス１内および前面扉２に配設されて全体をなす。
【００１１】
略矩形箱状のキャビネットボックス１内に配設される遊技装置としては、外部から電力供給を受けて内部装置に必要な電力を供給する電源ボックス３０、図柄が描かれた３つのリール３１ａ，３１ｂ，３１ｃを回転・停止させるリール装置３１、遊技者の操作に応じたリール装置３１の作動制御やその他スロットマシンＳＭの遊技制御を行うための主制御基板３２、主制御基板３２からの指令に基づいて遊技メダルの払い出しを行うメダル払出装置３３、遊技機の入賞データ等の遊技情報を管理するために遊技施設内に設置されたホールコンピュータ（図示せず）と主制御基板３２との間を接続するインターフェイスとしての外部集中端子基板３４等があり、それぞれ図８に示すように配設される。
【００１２】
なお、メダル払出装置３３はキャビネットボックス１の底面１５上に配設される。配設に際して、メダル払出装置３３の下端部を折曲形成して左右方向に水平突出するフランジ脚部が設けられるとともに、この左右のフランジ脚部を外側からガイドして上面を挟みこむホッパーレール７７，７７が底面１５上に固設される。メダル払出装置３３は、このホッパーレール７７，７７のガイドにより前後方向に出入摺動するようにして取り付けられる。
【００１３】
一方前面扉２は、ドアフレーム状に成型されたフロントマスクに、リール外周面に描かれた図柄を所定範囲に限って視認可能に透過表示させる表示窓２１、表示窓２１の下側に左右に並んで配設された複数のスイッチやレバー等からなる操作部４、表示窓２１の上方に配設された表示装置２４、遊技メダルを払い出すメダル払出口２３の下側に位置してメダル払出口２３から排出される遊技メダルを受容し貯留するメダル受皿２２等が取り付けられて構成されている。
【００１４】
操作部４には、遊技メダルを投入するメダル投入口４１、１回の遊技に消費するメダル枚数を決定するベットボタン４２、リールの回転起動操作を行うスタートレバー４３、３つのリール３１ａ，３１ｂ，３１ｃに対応して設けられリールの回転停止をリールごとに操作可能なストップスイッチ４４ａ，４４ｂ，４４ｃ、獲得した遊技メダルの払出操作を行う精算スイッチ４６、メダル投入口４１から投入した遊技メダルを返却させるときに操作するメダル返却スイッチ４５等が設けられている。
【００１５】
また、図８に示すように、前面扉２の裏面には、効果音を発するためのスピーカ３６、メダル投入口４１から投入された遊技メダルを受容する受付状態とメダル払出口２３から返却させる返却状態とに切り替えたり、投入された遊技メダルの真贋を判定して正規メダル以外の遊技メダルを返却させたりする機能を有するメダルセレクタ３７、メダルセレクタ３７からの遊技メダルを貯留または返却させる経路部材等が設けられるとともに、遊技状態を演出する多数のランプやＬＥＤ、これら表示機の作動を制御する中央表示基板３８および上部表示基板３９等が取り付けられている。
【００１６】
以上のように構成されるキャビネットボックス１と前面扉２とは、正面視における互いの左側縁の上下に設けられたヒンジ機構５，５で横開き開閉自在に連結されるとともに、両者に配設された遊技構成装置や基板等がワイヤーハーネス（図示せず）で電気的に接続されて作動可能に構成される。また、前面扉２は、正面視における右側縁に取り付けられた施錠装置６を利用してキャビネットボックス１の前面開口部を覆うように閉鎖施錠され、この閉鎖状態でスロットマシンＳＭが遊技に供される。
【００１７】
以上のように構成されるスロットマシンＳＭにおいて、図４に外観斜視図を示した本実施例のキャビネットボックス１は、板厚0.5〜1.0mm程度（例えば、0.7mm）の冷間圧延鋼板、鍍金鋼板、ステンレス鋼板等を主要構成材料として用い、これを剪断、抜き、曲げ等の公知の加工手段によりパネル部材１０に成型した後、各パネル部材をスポット溶接等の接合手段により接合して組立構成している。例示するキャビネットボックス１は、天板面１１、背面１２、左右側面１３，１４、および下底面１５ａを形成するメインパネル１０ａ、上底面１５ｂを形成する上底面パネル１０ｂ、前面開口縁部に周設してキャビネットボックス１全体の撓み変形を防止するための枠杆１０ｃ等の各パネル部材がスポット溶接により接合して構成される。なお、開口部正面視において左側の側面を左側面１３、右側の側面を右側面１４としてこれ以降説明する。
【００１８】
キャビネットボックス１の天板面１１、背面１２、左右側面１３，１４、下底面１５ａは、所定形状に形成されたメインパネル１０ａを曲げ加工し、重ね合わせ部を溶接接合することにより形成されて前面開口を有した略矩形箱状のキャビネットボック１を構成する。即ち、本実施例に係るキャビネットボックス１の基本構造はメインパネル１０ａの一枚で形成されており、一面につき一枚のパネルを用いる等、複数枚のパネルで構成するよりも部品点数および組立工数を削減することができる。
【００１９】
天板面１１および背面１２には、キャビネットボックス１内から熱を放熱して主制御基板３２等の誤作動を防ぐための通気孔が予め穿設される。なお、通気孔は、例示する長孔や丸孔の他、所定形状の孔を多数設けてパンチングメタル状ないし格子状に形成してもよい。また、穿設孔の形成による方法のみならず、ルーバ加工やランス加工を施して通気させることも可能である。
【００２０】
天板面１１、背面１２および左右側面１３，１４において、リール装置３１、主制御基板３２等の遊技装置を締結固定するための雌ネジ部材７３が溶接される。雌ネジ部材７３としては、本実施例に適用したように、スタッドナットをキャビネット１内に突出するように溶接してもよいし、溶接六角ナットを各面１１〜１４の所定箇所に溶接し、溶接されたナットの呼び径に合わせた貫通孔を穿設して構成してもよい。また、雌ネジ部材７３として、後述する中空二重構造の底面１５のように外面に露出しないような場所においてはバーリング加工によって雌ネジ部材７３を一体成型する方法や、ブラインドナットをかしめて固定する方法をとってもよい。
【００２１】
左右側面１３，１４には、側面の撓み変形を抑制するため、エンボス加工（例えば、菱形状）が多数施されている。また、左右側面１３，１４の中央部には予め所要形状の貫通孔が穿設されており、鋼板材が絞り加工されてハット状に形成された取っ手部材７１，７１がキャビネットボックス１の内側からこの孔に覆設される。取っ手部材７１，７１は、フランジ部が左右側面１３，１４内側に当接され、絞り部がキャビネットボックス１内に水平に突出するように配設されており、フランジ部と側面内側との当接部においてスポット溶接によりメインパネル１０ａと接合される。
【００２２】
また、キャビネットボックス１内部で水平に突出した取っ手部材７１，７１の絞り部の上には、リール装置３１を載置するための棚板７２が取り付けられる。なお、棚板７２の取り付けは、溶接で棚板７２をキャビネットボックス１に固定する手段のほか、例えば、左右側面１３，１４の所定位置にスタッドナットを溶接しておき、このスタッドを用いて棚板７２を締結する手段や、左右側面１３，１４に予め所定ピッチでネジを設けた補助部材を溶接しておき、この補助部材に棚板７２をネジ締結する手段、左右側面１３，１４の所定位置に係止フックを溶接しておき、この係止フックに棚板７２を係止させる手段など、どの様な手段で取り付けてもよい。但し、溶接以外の手段を用いる場合には、棚板７２がキャビネットボックス１に確実に電気的に接続されるよう取り付ける点に留意し、例えば、棚板７２をユニクロメッキ仕上げにするとともにキャビネットボックス１側のネジ部を無塗装とし、ネジを介して電気的に接続させる手段や、キャビネットボックス１と棚板７２とにそれぞれスタッドナットを溶接しておき、これ等のスタッドナット間をアース線で電気的に接続させる等の手段を採ることが好ましい。
【００２３】
また、天板面１１の左右には、この天板面１１の上下を貫通してスリット状の貫通孔部１１ａ，１１ａが形成されており、左右側面１３，１４において貫通孔部１１ａ，１１ａ直下にボルトとナットを用いて固定装置７４，７４が取り付けられる。固定装置７４は、内蔵する鋸刃状に形成された鋼板材を貫通孔部１１ａからばねの弾性力を利用することにより出入操作自在に構成されて、突出状態において鋸刃状鋼板材を一般に木製の筐体設置枠（図示せず）に押圧することにより係合固定させる。このような固定方法によって、設置枠上方からキャビネットボックスへの釘打ちという従来の固定手段を用いることが困難な金属製キャビネットにおいても、天板面１１と設置枠との固定が可能となる。
【００２４】
また、左側面１３には、主制御基板３２と中央制御基板３７および上部制御基板３８との間、あるいは主制御基板３２と電源ボックス３０との間等を連結するワイヤーハーネスを係止するためのハーネス係止具７５が取り付けられる。このハーネス係止具７５は、指力により変形可能な金属部材（例えば、SPC 0.8mm）をＣ字状に加工して形成される。また、ハーネス係止具７５の端部は、ワイヤーハーネスの損傷を防ぐために、バリ取り処理とともに樹脂部材が被覆され、例えば塩化ビニル材等がディッピング処理により所定厚で被覆される。このようにして形成されるハーネス係止具７５は、左側面１３内側にスポット溶接により接合される。
【００２５】
底面１５は、メインパネル１０ａの曲げ加工により形成される下底面１５ａ上に上底面パネル１０ｂを接合して構成される。上底面パネル１０ｂには、略矩形状に成型された鋼板材の辺がＺ字状に折曲されることによりフランジ部が形成されるとともに、中央部に切欠部が設けられる。また、電源ボックス３０およびホッパーレール７７を締結固定するための雌ネジ部材７３としてスタッドナットが上底面パネル１０ｂの裏側に溶接されて、表側からこのスタッドナットの呼び径に合わせて貫通孔が穿設される。なお、上底面パネル１０ｂの曲げ高さはスタッドナットと同長に設定される。このように形成された上底面パネル１０ｂが下底面１５ａのほぼ全体を覆うように配設されて、フランジ部を下底面１５ａとスポット溶接等により接合し、平板状の上底面１５ｂが形成される。同時に上底面パネル１０ｂの裏面に溶接されたスタッドナットの他端部は、ナットと曲げ高さとが同長のため下底面１５ａに当接されて、底面１５は、上底面１５ｂと下底面１５ａとの間にスタッドナットが介設された中空二重構造となる。
【００２６】
さらに、底面１５の中央部においては、中央部を切欠された上底面パネル１０ｂが下方へ凹設され、上底面１５ｂと下底面１５ａとが当接されて両者がスポット溶接により接合されている。また、この凹部には小孔が穿設されており、この孔を介してキャビネットボックス１内から、一般に木製の筐体設置枠（図示せず）に対して釘打ちすることによってキャビネットボックス１を筐体設置枠に固定することが可能となっている。なお、底面１５右側においては、メダル貯留部の貯留許容量を超えた余剰メダルが設置枠台内部に配設されたメダルコンベヤ（図示せず）に回収されるように、余剰メダルを設置枠台内部に通過落下させるための貫通孔が穿設されている。貫通孔は、所定位置において上底面パネル１０ｂおよび下底面１５ａを形成するメインパネル１０ａが穴抜きされた後、上底面１５ｂと下底面１５ａとの間の中空部にメダルが落入しないように、上底面１５ｂを下方に絞り加工するとともに下底面１５ａを上方に絞り加工を行い、両者の絞り部を当接させて設けられる。また、メダルコンベヤが設置されていない遊技施設においては、この貫通孔の上に補助貯留ボックス７６が覆設されて、ボックス内に余剰メダルを回収する。
【００２７】
また、電源ボックス３０、および外部集中端子基板３４の固定は、平板状に形成されて裏側に雌ネジ部材７３としてスタッドナットが溶接されるとともにナットの呼び径に合わせて貫通孔が穿設されたブラケットパネル１０ｄ，１０ｅを介して行われる。図４に示すように、電源ボックス３０を固定するためのブラケットパネル１０ｄは、左側面１３下部を覆うようにして配設されて、３つのフランジ部が背面１２、左側面１３にそれぞれスポット溶接により接合される。図８中に付記するI−I矢視方向に見た側面図を図１に、図１中のII−II矢視図を図２に、同III−III矢視図を図３に示すように、外部集中端子基板３４を固定するブラケットパネル１０ｅは、曲折されたフランジが右側面１４にスポット溶接により接合される。そして、このように配設されるブラケットパネル１０ｄ，１０ｅの内側支持面に、電源ボックス３０および外部集中端子基板３４がそれぞれ当接されて締結固定される。ブラケットを介して固定することにより、板厚が薄くなった金属製キャビネットでも従来の木工キャビネットと同様の固定位置で固定できる。
【００２８】
また、キャビネットボックス１前面の開口縁部において、断面コ字状に形成された４つの枠杆１０ｃが辺縁全周を繋ぐように周設されている。枠杆１０ｃは、メインパネル１０ａよりも厚い板厚（例えば、板厚1.2〜2.3mm）の鋼板をプレス成型して図示する形状に形成し、例えば枠杆下端角部等の所定位置を基準として、前面開口縁近傍に配設される遊技装置や組立部材を取り付けるために、自動スタッド溶接機等により雌ねじ部材７３としてスタッドナットが一体に溶着されている。また、枠杆１０ｃの前面開口側に位置する側辺はさらに直角内方に折曲されて水平フランジＦが形成されている。例えば、天板面１１においては図１０に示すように枠杆１０ｃが配設される。
【００２９】
前面開口縁近傍に配設される遊技装置や組立部材を取り付けるための雌ねじ部材として接合されるスタッドナットは、図７に断面図を示すように、固定ブラケット６９を締着固定するためのスタッドナットが右側面１４に配設される枠杆１０ｃ上に接合される。同様にして、図９に断面図を示すようにヒンジ機構５を締着固定するためのスタッドナットが左側面１３に配設される枠杆１０ｃ上にホッパーレール７７を固定するブラケットを締着固定するためのスタッドナットが下底面１５ａに配設される枠杆１０ｃ上にそれぞれ溶着される。なお、天板面１１、右側面１４、下底面１５ａに配設される枠杆１０ｃのコ字状凹部は直線的な平面に形成されているが、左側面１３においては、図８に示すように、ヒンジ機構５，５の締着固定に用いるスタッドナット周辺については、取り付けられる固定座５４，５４の奥行き分だけコ字状凹部が背面１２方向に拡幅するように形成されている。
【００３０】
また、枠杆１０ｃの側辺は、枠杆１０ｃ上に溶着されるスタッドナットの端面と同長となるように曲げ加工されて形成される。なお、固定ブラケット６９を締結固定するためのスタッドナットが配設される右側面１４の枠杆１０ｃについては、スタッドナットの後方側（背面１２側）の側辺（以下、突き当て辺とも称する）Ｅの長さが前方（前面開口側）の側辺よりも長くなるように形成されている。即ち、突き当て辺Ｅの長さは、スタッドナットの高さよりも長くして形成される。
【００３１】
また、図６に前面扉２の裏面一側縁の斜視図を示すように、前面扉２の閉鎖状態を保持するための施錠装置６は、断面視略Ｌ字状に形成されて前面扉２の裏側右端部に上下に延びる固定ブラケット６８に、前面扉表側に配設された解錠口６５の回動に応じて回動する回動プレート６１ａ，回動プレート６１ａの回動に応じて上下方向に昇降自在に構成される昇降杆６１ｂが取り付けられるとともに、昇降杆６１ｂに、略矢形状に形成されて昇降杆６１ｂの上昇動に応じて下方向に揺動する施錠フック６２を上下２箇所に設けて構成される。また、固定ブラケット６８と昇降杆６１ｂとにはバネ６４が跨設されており、昇降杆６１ｂを下方向に、即ち、施錠フック６２を上方向に付勢保持するように構成される。施錠フック６２と係合させるための受け金具６３は、前面扉２の閉鎖状態で施錠フック６２と係合するように、キャビネットボックス１の右側面１４における前面開口縁近傍の上下２箇所に設けられている。この受け金具６３は、図２に示すように、キャビネットボックス１の右側面１４に取り付けられる固定ブラケット６９と一体形成されるとともに、枠杆１０ｃに一体形成される突き当て辺Ｅと当接される。右側面１４の開口辺縁部には固定ブラケット６９を締結するための雄ねじ７０を受容する雌ねじ部材７３として、右側面１４の開口縁近傍にスタッドナットが溶接接合されている。
【００３２】
このようにして構成される施錠装置６は、前面扉２を閉鎖状態から開放状態とするときは、解錠口６５に係合する鍵を用いて解錠口６５を回転し、回動プレート６１ａを回転させる。すると、昇降杆６１ｂが上方向に揺動するとともにバネ６２が伸長動し、施錠フック６２が下方に揺動する。これにより施錠フック６２と受け金具６３との係合状態が解除されて前面扉２が開放可能となる。また、前面扉２を閉方向に押圧すると、施錠フック６２が受け金具６３に当接することによって施錠フック６２が下方揺動するとともにバネ６２が伸長動する。さらに押圧することによって施錠フック６２が受け金具６３に係合すると、バネ６４の付勢力により、施錠フック６２が上方向に保持されるとともに昇降杆６１ｂが下方向に保持されて、施錠装置６のロック状態が保持される。
【００３３】
このようにして構成される施錠装置６は、前面扉２を閉鎖状態から開放状態とするときは、解錠口６５に係合する鍵を用いて解錠口６５を回転し、回動プレート６１ａを回転させる。すると、昇降杆６１ｂが上方向に揺動するとともにバネ６４が伸長動し、施錠フック６２が下方に揺動する。これにより施錠フック６２と受け金具６３との係合状態が解除されて前面扉２が開放可能となる。このとき、解錠口６５の回転が不充分な状態で前面扉２を開放しようとすると、即ち、施錠フック６２と受け金具６３との係合状態が完全に解除されない状態で力が加えられると、受け金具６３を介して固定ブラケット６９を固定するスタッドナットおよびその溶接部周辺に過大なモーメント負荷がかかる。しかし、スタッドナットの端面と同長となるように折曲された枠杆１０ｃの側辺が固定ブラケットを当接支持してこのモーメントを枠杆１０ｃが受け止めるため、スタッドナットの溶接部に割れが生じる等を防止することができる。
【００３４】
また、開放状態の前面扉２を閉方向に押圧すると、略矢形状の施錠フック６２と受け金具６３とが当接するとともに、ガイドローラ６６がローラ受け６７に当接し反ヒンジ側に垂れ下がっていた前面扉２が水平支持される。さらに押圧することにより、施錠フック６２が係合斜辺に沿って下方向に揺動し、昇降杆６１ｂが上昇動するとともにバネ６４が伸長動する。さらに押圧を続けると、施錠フック６２と受け金具６３との当接部が係合斜辺を超え、施錠フック６２と受け金具６３とが係合し、バネ６４の付勢力によって昇降杆６１ｂが上昇動し、前面扉２の閉鎖状態が保持される。
【００３５】
以上の押圧閉鎖作動には相当大きな力を要するため、施錠フック６２と受け金具６３の係合時に受け金具６３には大きなスラスト荷重が作用するが、受け金具６３の背面１２側の面が突き当て辺Ｅと当接されており、この突き当て辺Ｅを一体形成している枠杆１０ｃがその荷重を受け止めることにより、右側面１４の塑性変形等が抑制される。
【００３６】
なお、固定ブラケット６９に一体形成される受け金具６３は上記実施例の構成に限らず、図６に示すように、受け金具６３が開口縁側により近くになるようにして設ける構成としてもよい。このように構成することによって、施錠フック６２と受け金具６３の係合時に、施錠フック６２が突き当て辺Ｅに突き当てられて、受け金具６３の受けるスラスト荷重を受け止めることが可能で、右側面１４の塑性変形等が抑制される。
【００３７】
また、本発明に係るキャビネットボックスを有する遊技機としてスロットマシンを例に挙げて説明を行ったが、他のキャビネットボックスを有して構成される遊技機にも同様にして適用可能であり、例えば、ポーカーゲーム、ブラックジャック等のメダル遊技機に適用しても同様の効果を得ることができる。
【図面の簡単な説明】
【００３８】
【図１】本発明に係るキャビネットボックスの右側面を、図８中のI−I矢視方向に見た側面図である。
【図２】本発明に係るキャビネットボックスの右側面を、図１中のII−II矢視方向に見た断面図である。
【図３】本発明に係るキャビネットボックスの右側面を、図８中のIII−III矢視方向に見た断面図である。
【図４】本発明に係るキャビネットボックスの外観斜視図である。
【図５】その他の本発明に係るキャビネットボックスの右側面を示し、（ａ）がキャビネットボックス内側からの正面図、（ｂ）が図５（ａ）中のVb−Vb矢視方向に見た断面図である。
【図６】本発明に係るキャビネットボックスに開閉自在に取り付けられる前面扉の裏面に設けられる施錠装置の斜視図である。
【図７】本発明に係るキャビネットボックスを有して構成される遊技機の一例として示すスロットマシンの外観斜視図である。
【図８】本発明に係るキャビネットボックスを有して構成される遊技機の一例として示すスロットマシンの内部構造を示す正面図である。
【符号の説明】
【００３９】
ＳＭ  スロットマシン
１  キャビネットボックス
２  前面扉
３  遊技装置
４  操作部
５  ヒンジ機構
６  施錠装置
１０  パネル部材
１０ａ  メインパネル
１０ｃ  枠杆
１４  右側面
６１ａ  回転板
６１ｂ  揺動板
６２  係止板
６３  受け金具
６４  バネ
６５  解錠口
６６  ガイドローラ
６７  ローラ受け
６８，６９  固定ブラケット
７３  雌ねじ部材
Ｅ  突き当て辺
【図１】
2005198948.tif 000003
【図２】
2005198948.tif 000004
【図３】
2005198948.tif 000005
【図４】
2005198948.tif 000006
【図５】
2005198948.tif 000007
【図６】
2005198948.tif 000008
【図７】
2005198948.tif 000009
【図８】
2005198948.tif 000010